(57)【要約】      （修正有）【課題】背もたれパッドが座面パッドに対して完全に折り畳むことが可能で収納しやすい椅子を提供する。【解決手段】座面パッド１と、背もたれパッドと、フレームを備え、フレームは、座面パッドを取り付けるための座面フレーム３と、背もたれパッドを取り付けるための背もたれフレーム（背もたれメインフレーム４、背もたれサブフレーム５）と、座面フレームと背もたれフレームの角度を調節するための第１角度調節部材としての第１ヒンジ機構６を有する椅子において、背もたれパッド及び／又は座面パッドは着脱可能でフレームに取り付けられるように構成され、背もたれフレームと座面フレームの少なくとも一方には背もたれフレームと座面フレームを折り畳むための第２角度調節部材としての第２ヒンジ機構７が設けられている。【選択図】図５
0003220233.tif 000002
【実用新案登録請求の範囲】
【請求項１】
座面パッドと、背もたれパッドと、フレームを備え、前記フレームは、座面パッドを取り付けるための座面フレームと、背もたれパッドを取り付けるための背もたれフレームと、前記座面フレームと前記背もたれフレームの角度を調節するための第１角度調節部材を有する椅子において、
前記背もたれパッド及び／又は前記座面パッドは着脱可能で前記フレームに取り付けられるように構成され、前記背もたれフレームと前記座面フレームの少なくとも一方には前記背もたれフレームと前記座面フレームを折り畳むための第２角度調節部材が設けられていることを特徴とする椅子。
【請求項２】
前記背もたれパッドは前記背もたれフレームに着脱可能で取り付けられるように構成され、前記背もたれフレームには前記第２角度調節部材が設けられ、前記背もたれフレームは背もたれメインフレームと、背もたれサブフレームが含まれ、前記背もたれメインフレームと前記背もたれサブフレームとの間の角度が前記第２角度調節部材により調節されていることを特徴とする請求項１に記載の椅子。
【請求項３】
前記背もたれサブフレームの長さは前記座面パットの高さと同じ設定され、または前記座面パットの高さより大きく設定されていることを特徴とする請求項２に記載の椅子。
【請求項４】
前記座面パッドは前記座面フレームに固定されるよう設けられており、前記座面バッドの内部にはスプリングユニットが設けられていることを特徴とする請求項２または３に記載の椅子。
【請求項５】
前記第１角度調節部材は前記背もたれフレームと前記座面フレームとの間の角度を９０度〜１８０度の間で調節して固定するように構成され、前記第２角度調節部材は前記背もたれフレームと前記座面フレームとの間の角度を９０度または１８０度に調節して固定するように構成されていることを特徴とする請求項２または３に記載の椅子。
【考案の詳細な説明】
【技術分野】
【０００１】
本実用新案は、家具の椅子に関わり、特に座面パッドと背もたれパッドが折り畳み可能な椅子に関するものである。
【背景技術】
【０００２】
一般的に、家庭用椅子は、背もたれパッドと座面パッドを有しており、通常、利用者によって、背もたれ角度に対する需要が異なるため、座面パッドに対して背もたれパッドの角度を調節可能にするものもある。
従来技術は、特許文献１（ＣＮ１０４１７２７８８Ａ）のような折り畳み椅子も開示されている。具体的には、台座本体と背もたれ本体の間に、ラチェットや歯車などを設け、背もたれパッドと座面パッドとの角度を調節して固定することができるように構成されている。
【先行技術文献】
【特許文献】
【０００３】
【特許文献１】ＣＮ１０４１７２７８８Ａ公報
【考案の概要】
【考案が解決しようとする課題】
【０００４】
しかし、上記従来の椅子では、台座本体と背もたれ本体が一定の厚さを持っているため、ラチェットと歯車を通じて台座本体と背もたれ本体の角度を調節する際、完全に折り畳むことができず、使用しないときの運搬や収納が不便であるといった問題点があった。
【課題を解決するための手段】
【０００５】
本実用新案は、上記問題に鑑みてなされたものであり、背もたれパッドが座面パッドに対して完全に折り畳むことが可能で収納しやすい椅子を提供することを目的とする。
上記目的を実現するために、本実用新案に係る椅子は座面パッドと、背もたれパッドと、フレームを備え、前記フレームは、座面パッドを取り付けるための座面フレームと、背もたれパッドを取り付けるための背もたれフレームと、前記座面フレームと前記背もたれフレームの角度を調節するための第１角度調節部材を有し、前記背もたれパッド及び／又は前記座面パッドは着脱可能で前記フレームに取り付けられるように構成され、前記背もたれフレームと前記座面フレームの少なくとも一方には前記背もたれフレームと前記座面フレームを折り畳むための第２角度調節部材が設けられている。
【０００６】
上記構造によれば、前記背もたれフレームと前記座面フレームの少なくとも一方に、前記背もたれフレームと前記座面フレームを折り畳むための第２角度調節部材が設けられていることから、椅子を折り畳むことが容易となり、椅子の運搬や収納などが便利になる。
【０００７】
好ましくは、前記背もたれパッドは前記背もたれフレームに着脱可能で取り付けられるように構成され、前記背もたれフレームには前記第２角度調節部材が設けられ、前記背もたれフレームは背もたれメインフレームと、背もたれサブフレームが含まれ、前記背もたれメインフレームと前記背もたれサブフレームとの間の角度が前記第２角度調節部材により調節されている。
【０００８】
上記構造によれば、前記第２角度調節部材は背もたれフレームに設けられているため、前記背もたれフレームは多段式で折り畳むことができ、利用者のニーズに合わせて、背もたれ部を任意の角度で調節することができる。
【０００９】
好ましくは、前記背もたれサブフレームの長さは前記座面パットの高さと同じに設定され、または前記座面パットの高さより大きく設定されている。
【００１０】
上記構造によれば、前記背もたれパッドと前記座面パッドは互いに接触できるように折り畳むことができる。
【００１１】
好ましくは、前記座面パッドは前記座面フレームに固定されるよう設けられており、前記座面バッドの内部にはスプリングユニットが設けられている。
【００１２】
上記構造によれば、椅子の運搬や収納などが便利となるとともに、座り心地がよりよくなる。
【００１３】
好ましくは、前記第１角度調節部材は前記背もたれフレームと前記座面フレームとの間の角度を９０度〜１８０度の間で調節して固定するように構成され、前記第２角度調節部材は前記背もたれフレームと前記座面フレームとの間の角度を９０度または１８０度に調節して固定するように構成されている。
【００１４】
上記構造によれば、前記第１角度調節部材は前記背もたれフレームと前記座面フレームとの間の角度を９０度〜１８０度の間で調節して固定するように構成されているため、利用者が背もたれの角度を自由に調節することができる。また、前記第２角度調節部材はおもに前記背もたれフレームと前記座面フレームを折り畳むためのものであるので、前記第２角度調節部材によって、前記背もたれフレームと前記座面フレームとの間の角度を９０度または１８０度に調節すれば、椅子の折り畳みが実現でき、広い範囲で角度を調節する第１角度調節部材に比べ、第２角度調節部材のコストが低いため、椅子全体のコストダウンを図ることができる。
【図面の簡単な説明】
【００１５】
【図１】本実用新案の椅子を示す斜視図である。
【図２】本実用新案の椅子を示す断面図である。
【図３】本実用新案のフレームの構造を示す正面図である。
【図４】本実用新案のフレームト座面パッドの構造を示す側面図である。
【図５】本実用新案の椅子の折り畳み状態を示す側面図である。
【考案を実施するための形態】
【００１６】
以下では、図１を参照しながら、椅子の外部構造を説明する。
図１に示すように、本実用新案の椅子は、ほぼ正方形を呈し表面が平坦となる座面パッド１および背もたれパット２を含む。座面パッド１と背もたれパッド２は、後述する椅子のフレームに取り付けられる構造を有し、且つ、座面パッド１と背もたれパッド２はフレームに取り付けられた後、座面パッド１と背もたれパッド２に設けられているチャックによって互いに連接されている。そして、座面パッド１と背もたれパッド２を洗濯または交換する際、チャックをはずしてフレームから取り外せばよい。
【００１７】
本実施形態では、座面パッド１と背もたれパッド２はほぼ正方形を呈し表面が平坦となるようにしているが、それに限定せず、例えば、座面パッド１と背もたれパッド２は円形または楕円形にしてもよい。且つ、座面パッド１と背もたれパッド２の形状を同じ構成することに限定せず、例えば、座面パッド１を人間の臀部に似たほぼ円形にするとともに、背もたれパッド２を人間の背中に似たほぼ長方形にしてもよい。また、座面パッド１と背もたれパッド２の表面も平坦な構造に限定せず、例えば、ニーズに合わせて、背もたれパッド２の表面には人間の脊椎関連ツボに適応する複数の突出を設け、座面パッド１の表面には人間の臀部に適応する凹部を設けてもよい。
【００１８】
＜フレーム構成＞
以下では、図２及び図３を参照しながら、本実用新案に係る椅子のフレームについて説明する。
図２及び図３に示すように、本実用新案に係る椅子のフレームは、座面パッド１を取り付けるための座面フレーム３と、背もたれパッド２を取り付けるための背もたれメインフレーム４および背もたれサブフレーム５と、を備えている。
【００１９】
座面フレーム３は、一方が開口するほぼＵ字状を呈し、高周波熔接パイプを折り曲げて形成されている。また、開口側の両側の熔接パイプが押しつぶされて変形することを防ぐために、本実施形態では、座面フレーム３の開口側の内側には両側の熔接パイプを連接するための座面支持フレーム３１が設けられている。当該座面支持フレーム３１も同様に一方が開口するほぼＵ字状を呈し、前記座面支持フレーム３１の開口距離が前記座面フレーム３の開口距離より小さく、且つ、前記座面支持フレーム３１の開口方向が前記座面フレーム３の開口方向と対向している。そして、座面支持フレーム３１の開口側の両側の熔接パイプは座面フレーム３の開口側の両側の熔接パイプの内側に固定され、座面フレーム３と座面支持フレーム３１との間によって囲まれるスペースが形成されている。
【００２０】
座面フレーム３の開口側の両側には２つの第１角度調節部材としての第１ヒンジ機構６を通じて、一対の背もたれサブフレーム５が連結されている。当該背もたれサブフレーム５も高周波熔接パイプで形成されている。そして、座面フレーム３と同様に、一対の背もたれサブフレーム５の間にサブ支持フレーム５１が設けられることにより、一対の背もたれサブフレーム５が押しつぶされて変形することを防ぐことができる。
【００２１】
背もたれサブフレーム５における座面フレーム３と連結されていない側にはそれぞれ２つの第２角度調節部材としての第２ヒンジ機構７を通じて、一対の背もたれメインフレーム４が連結されている。背もたれメインフレーム４は座面フレーム３とほぼ同様に一方が開口するほぼＵ字状を呈し、且つ高周波熔接パイプを折り曲げて形成されている。一方、その開口側の両側には支持フレームが設けられてなくてもよい。
【００２２】
また、衝突による第１ヒンジ機構６と第２ヒンジ機構７の破損を防ぐために、第１ヒンジ機構６と第２ヒンジ機構７の外側にはそれぞれに保護シート（未図示）を設けてもよい。
また、第１ヒンジ機構６は９０度〜１８０度の間で角度を調節する役割を有し、第２ヒンジ機構７は９０度または１８０度に角度を調節する役割を有している。
【００２３】
本実用新案に係る椅子のフレームは、以下の動作を実現できる。
使用する際に、利用者が使用習慣に応じて、第１ヒンジ機構６を通じて、座面フレーム３との角度が９０度〜１８０度の間における任意の角度となるよう背もたれメインフレーム４および背もたれフレーム５を同時に調節して固定する。
椅子を収納するまたは運搬する際、まず座面パッド１と背もたれパッド２のチャックを解除し、背もたれパッド２を背もたれフレームから外す。そして、第１ヒンジ機構６を通じて、座面フレーム３との角度βが９０度となるよう背もたれメインフレーム６と背もたれサブフレーム５を同時に調節してから、第２ヒンジ機構５を通じて、背もたれサブフレーム５との角度αが９０度となるよう背もたれメインフレーム４を調節する。そのとき、図５に示すように、背もたれメインフレーム４は座面フレーム３とほぼ平行の位置になる。具体的には、背もたれメインフレーム４と背もたれサブフレーム５の角度αが直角となり、且つ、背もたれサブフレーム５と座面フレーム３の角度βも直角となる。そして、背もたれサブフレーム５の高さＨは座面パッド１の厚さに比べ少し大きくなっている。よって、座面パッド１を外せなくても、椅子が折り畳むことができ、その折り畳んだ椅子の上に先で外した背もたれパッド２を置いて椅子を収納するまたは運搬することが実現される。
【００２４】
また、本実施形態では、前記背もたれサブフレーム５の長さは前記座面パッド１の高さと同じ設定され、または前記座面パッド１の高さよりも大きく設定されている。
また、本実施形態では、第２ヒンジ機構７は９０度と１８０度の２つの角度にしか調節できない角度調節部材を採用しているが、そのようなものに限定せず、例えば、第１ヒンジ機構６と同様に９０度〜１８０度の間で調節できる角度調節部材を採用してもよい。
また、例えば、第２角度調節部材としての第２ヒンジ機構は座面フレームに設けられて、第２ヒンジ機構を通じて座面パッドが背もたれパッドに対して調節するように構成してもよい。
【００２５】
以下、図４を参照しながら本実施形態の椅子内部の構造をさらに説明する。
図４に示すように，上記座面フレーム３の上側にはほぼ正方形を呈するスプリングユニット８が設けられている。
また、前記スプリングユニット８の下表面にはスポンジ層９が設けられ、スポンジ層９の上には粉砕状のスポンジ材１０が設けられている。これによって利用者の座り心地を向上することを図っている。
一方，座面フレーム３、背もたれメインフレーム４、背もたれサブフレーム５、第１ヒンジ機構６、第２ヒンジ機構７、スプリングユニット８、スポンジ層９、スポンジ材１０を弾性布で覆うことで椅子全体を形成させている。
【図１】
0003220233.tif 000003
【図２】
0003220233.tif 000004
【図３】
0003220233.tif 000005
【図４】
0003220233.tif 000006
【図５】
0003220233.tif 000007